(57)【要約】【課題】太陽エネルギーをより効率よく利用することが可能な太陽エネルギー利用器を提供する。【解決手段】太陽エネルギー利用窓は、２枚の板材と、２枚の板材の間に配置される第１プリズム３０及び集エネ部４０を備えており、集エネ部４０は、第１プリズム３０の第２の辺３０ｂに対して、所定の隙間Ｃ１を挟んで設置され、三角柱プリズム３０は、外ガラス１０ａを通過して第１の辺３０ａから第１プリズム３０内に進入した太陽光のうち、直接第２の辺３０ｂに到達して第２の辺３０ｂから第１プリズム３０外に出るものと、第３の辺３０ｃで全反射して第２の辺３０ｂに到達して第２の辺３０ｂから第１プリズム３０外に出るものと、第３の辺３０ｃ及び第１の辺３０ａの順に全反射した後に第２の辺３０ｂに到達して第２の辺３０ｂから第１プリズム３０外に出るものとの３種の光路ＯＰ１〜ＯＰ３が存在するように屈折率と三角の各内角とが設定されている。【選択図】図２
2019113284.tif 000002
【特許請求の範囲】
【請求項１】
板材と、当該板材よりも太陽光の入射側において当該板材と略平行配置される透明性の板材とからなる２枚の板材と、
前記２枚の板材の間に配置されると共に、断面視して前記透明性の板材に沿う第１の辺と前記第１の辺に対して角度を有する第２及び第３の辺からなる透明性の三角柱プリズムと、
前記第２及び第３の辺のうち、下方側の辺となる第２の辺に対して、所定の隙間を挟んで設置され、太陽エネルギーを収集する集エネ部と、を備え、
前記三角柱プリズムは、前記透明性の板材を通過して前記第１の辺から当該三角柱プリズム内に進入した太陽光のうち、直接前記第２の辺に到達して前記第２の辺から当該三角柱プリズム外に出るものと、前記第３の辺で全反射して前記第２の辺に到達して前記第２の辺から当該三角柱プリズム外に出るものと、前記第３の辺及び前記第１の辺の順に全反射した後に前記第２の辺に到達して前記第２の辺から当該三角柱プリズム外に出るものとの３種の光路が存在するように屈折率と三角の各内角とが設定されている
ことを特徴とする太陽エネルギー利用器。
【請求項２】
前記三角柱プリズムは、当該三角柱プリズムの外壁を構成する透明性のプリズム壁と、前記プリズム壁の内部に封入される透明性の内部部材と、を有する
ことを特徴とする請求項１に記載の太陽エネルギー利用器。
【請求項３】
前記三角柱プリズムは、前記第１の辺から進入する太陽光について前記３種の光路が実現されるときの太陽光の下限仰角が、屈折率が略１．４１であり、前記第２の辺と前記第３の辺とがなす角度が９０°であるときに最小値となるものであって、当該最小値よりも＋１０°以下の値となるように、屈折率及び前記第２の辺と前記第３の辺とがなす角度が設定されている
ことを特徴とする請求項１又は請求項２のいずれかに記載の太陽エネルギー利用器。
【請求項４】
前記集エネ部は、断面視状態で、前記三角柱プリズムと略同一形状であり、前記三角柱プリズムと点対称となる向きに配置されており、一部分が非透明性で残部が透明性である
ことを特徴とする請求項１から請求項３のいずれか１項に記載の太陽エネルギー利用器。
【請求項５】
断面視状態で、前記三角柱プリズムと同一形状であり、前記２枚の板材に沿う第４の辺と前記第４の辺に対して角度を有する第５及び第６の辺からなり、前記三角柱プリズムと点対称となる向きに配置された透明性の第２三角柱プリズムをさらに備え、
前記２枚の板材は、双方が透明性の板材であり、
前記集エネ部は、前記三角柱プリズムの前記第２の辺と、前記第２三角柱プリズムの第５及び第６の辺のうち、上方側の辺となる第５の辺との間において、双方から離間して設けられている
ことを特徴とする請求項１から請求項３のいずれか１項に記載の太陽エネルギー利用器。
【請求項６】
前記第２の辺と前記第５の辺との間で前記集エネ部を移動可能であって、前記集エネ部を前記第２の辺と前記第５の辺とにそれぞれ切離可能とする移動機構をさらに備える
ことを特徴とする請求項５に記載の太陽エネルギー利用器。
【発明の詳細な説明】
【技術分野】
【０００１】
本発明は、太陽エネルギー利用器に関する。
【背景技術】
【０００２】
従来、太陽エネルギーの１つである太陽光を利用して発電を行う太陽光発電パネルを搭載した太陽エネルギー利用窓が提案されている（例えば特許文献１参照）。この太陽エネルギー利用窓では、２枚の透明板材の間に、太陽光発電パネルと断面三角形状となる三角柱プリズムとが設けられている。太陽エネルギー利用窓を断面視した場合において、三角柱プリズムは、三角の第１の辺が２枚の透明板材に沿っており、第２及び第３の辺が２枚の透明板材に交差する方向に延びている。
【０００３】
ここで、特許文献１に記載の太陽エネルギー利用窓において、第１の辺に対する第２及び第３の辺の角度は、太陽光の受光角との関係から定められるようになっており、且つ、太陽光発電パネルは第２の辺に接した状態で設置されている。なお、第３の辺は、第２の辺よりも太陽に近い側の辺とする（窓が立面に用いられる場合には第３の辺が第２の辺よりも上側に位置する辺とする）。
【０００４】
このような太陽エネルギー利用窓では、三角柱プリズムによって太陽光を好適に反射して、太陽光発電パネルに多くの光を集めることが可能となっている。さらに、このような太陽エネルギー利用窓では、太陽光が地面等で反射したときの散乱光については三角柱プリズムの角度設定により通過させることができる。よって、太陽光を好適に太陽光発電パネルに集めつつも、散乱光の通過を阻害せずに室内側から景色を見ることができる太陽エネルギー利用窓を提供することができる。
【先行技術文献】
【特許文献】
【０００５】
【特許文献１】特表２０１３−５０８５８２号公報
【発明の概要】
【発明が解決しようとする課題】
【０００６】
ここで、太陽エネルギー利用窓においては、太陽光発電パネルに限らず、太陽熱を利用して熱媒や空気の加熱を行う集熱器（集熱管や集熱ダクト）や、取り込んだ太陽熱を移送する熱移送手段（ヒートパイプなど）を設けてもよい。さらには、このような太陽エネルギーを収集する太陽エネルギー収集部（集エネ部）を複数種設けることも可能である。
【０００７】
しかし、特許文献１に記載の太陽エネルギー利用窓は、集エネ部が第２の辺に接した状態で設置されているため、折角太陽光を集エネ部に集めたとしても、太陽熱が三角柱プリズムに伝熱してしまい、太陽エネルギーを効率良く利用する観点で改善の余地を有するものであった。
【０００８】
なお、上記の改善の余地の問題については、２枚の透明板材を備えて窓として使用される太陽エネルギー利用窓に限らず、太陽光の受光側が透明板材であってその反対側が非透明板材である太陽エネルギー利用器にも共通するものである。
【０００９】
本発明は、このような問題を解決するためになされたものであり、その目的とするところは、太陽エネルギーをより効率よく利用することが可能な太陽エネルギー利用器を提供することにある。
【課題を解決するための手段】
【００１０】
本発明に係る太陽エネルギー利用器は、２枚の板材と、三角柱プリズムと、集エネ部とを備えている。２枚の板材は太陽光の入射側のものが透明性である。集エネ部は、第２及び第３の辺のうち、下方側の辺となる第２の辺に対して、所定の隙間を挟んで設置され、太陽エネルギーを収集するものである。三角柱プリズムは、３種の光路が存在するように屈折率と三角の各内角とが設定されている。３種の光路の１つは、第１の辺から当該三角柱プリズム内に進入して直接第２の辺に到達して第２の辺から当該三角柱プリズム外に出るものである。もう１つは、第１の辺から当該三角柱プリズム内に進入して第３の辺で全反射した後に、第２の辺に到達して第２の辺から当該三角柱プリズム外に出るものである。残り１つは、第１の辺から当該三角柱プリズム内に進入して第３の辺及び第１の辺の順に全反射した後に、第２の辺に到達して第２の辺から当該三角柱プリズム外に出るものである。
【発明の効果】
【００１１】
本発明によれば、集エネ部は第２の辺に対して所定の隙間を挟んで設置される。このため、所定の隙間の存在によって集エネ部における太陽熱が三角柱プリズムへ移行し難くすることができる。また、三角柱プリズムは、３種の光路が存在するように屈折率と三角の各内角とが設定されているため、第１の辺から三角柱プリズム内に進入した太陽光は直接又は第３の辺や第１の辺の全反射を経て第２の辺から三角柱プリズム外に出ることとなる。すなわち、三角柱プリズムの第１の辺に入射した太陽光を第２の辺から出射させることで、所定の隙間を有して配置される集エネ部にも太陽光を集めることができる。従って、熱移行を抑えつつも太陽光を集エネ部に集めて、太陽エネルギーをより効率よく利用することができる。
【図面の簡単な説明】
【００１２】
【図１】本発明の実施形態に係る太陽エネルギー利用窓を示す断面図である。
【図２】図１に示した第１プリズムの拡大図である。
【図３】第１プリズムの頂角ＡＡを２５°とした場合において、第１底角の角度及び第１プリズムの屈折率を変化させたときの下限仰角との関係を示す図表である。
【図４】第１プリズムの頂角ＡＡを３０°とした場合において、第１底角の角度及び第１プリズムの屈折率を変化させたときの下限仰角との関係を示す図表である。
【図５】第１プリズムの頂角ＡＡを３５°とした場合において、第１底角の角度及び第１プリズムの屈折率を変化させたときの下限仰角との関係を示す図表である。
【図６】第１プリズムの屈折率を略１．４１とし第１底角を９０°とした場合において、頂角の角度を変化させたときの下限仰角との関係を示す図表である。
【図７】図２に示した第１プリズムのプリズム壁及び内部部材の屈折率と下限仰角との関係を示す図表である。
【図８】第２実施形態に係る太陽エネルギー利用窓を示す断面図である。
【図９】第３実施形態に係る太陽エネルギー利用窓を示す一部拡大断面図である。
【図１０】太陽エネルギー利用窓を傾斜面に用いたときの例を示す断面図である。
【発明を実施するための形態】
【００１３】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１４】
図１は、本発明の実施形態に係る太陽エネルギー利用窓を示す断面図である。なお、図１では、窓（開閉の可否を問わない）として適用可能な太陽エネルギー利用窓を太陽エネルギー利用器の一例として説明するが、太陽エネルギー利用器は窓に適用されるものに限らず、外壁に取り付けられるものであってもよい。
【００１５】
図１に示す例に係る太陽エネルギー利用窓１は、概略的に２枚の板材１０と、真空封止部材２０と、複数の第１プリズム（三角柱プリズム）３０と、複数の集エネ部４０と、複数の第２プリズム５０とを備えている。
【００１６】
２枚の板材１０は、互いに略平行配置される透明性の板材である。これらの板材１０は例えばガラス材によって構成されており、２枚の板材１０のうち室外側のものが外ガラス（透明性の板材）１０ａとなり、室内側のものが内ガラス（板材）１０ｂとなる。
【００１７】
真空封止部材２０は、２枚の板材１０の周端部において２枚の板材１０の間に介在するものである。２枚の板材１０の周端部に真空封止部材２０が設けられることによって、２枚の板材１０と真空封止部材２０とによって閉じられた内部空間が形成される。本実施形態において内部空間は断熱性の観点から真空状態とされるが、これに限らず、空気、アルゴン又はクリプトンなどの気体で満たされていてもよい。
【００１８】
複数の第１プリズム３０は、それぞれが断面視して三角形状となるプリズム（すなわち三角柱形状のプリズム）で構成されている。これらの第１プリズム３０は、第１の辺３０ａが外ガラス１０ａに沿うように外ガラス１０ａに面して配置されている。第１プリズム３０の第２の辺３０ｂと第３の辺３０ｃは、第１の辺３０ａに対して所定の角度を有して延びている。第２の辺３０ｂは、第３の辺３０ｃよりも鉛直下方側に位置する辺である。
【００１９】
図２は、図１に示した第１プリズム３０の拡大図である。図２に示すように、第１プリズム３０は、第１プリズム３０の外壁を構成するプリズム壁３１と、プリズム壁３１の内部に封入される透明性の液体からなる内部部材３２とによって構成されている。なお、第１プリズム３０は、図２に示す構成に限らず、中実のガラス材や樹脂材によって構成されていてもよい。また、内部部材３２は、ゲル状や固体であってもよい。
【００２０】
図１に示す複数の集エネ部４０は、太陽エネルギーを収集して、発電、他の媒体の加熱、及び熱移送などに太陽エネルギーを利用する機器であって、例えば太陽電池パネル、集熱器及び熱移送手段が該当する。これら集エネ部４０は、それぞれが第１プリズム３０の第２の辺３０ｂに面して設けられている。
【００２１】
複数の第２プリズム５０は、それぞれが断面視して三角形状となるプリズム（すなわち三角柱形状のプリズム）であって、第１プリズム３０と同形状且つ同屈折率となっている。この第２プリズム５０は、第１プリズム３０を１８０°回転させた点対称となる向きとなっており、それぞれの第１プリズム３０に対して１つずつ設けられている。ここで、第１プリズム３０のみしか有しない場合には、第１プリズム３０によって光が屈折して、室内側から視認したときの景色には歪みが生じる（すなわち散乱光ＳＬが大きく歪む）。しかし、第２プリズム５０が第１プリズム３０と対になって設けられることにより、室内側から視認したときの景色の歪みが抑えられることとなる（像回復効果を有することとなる）。なお、第２プリズム５０は、第１プリズム３０と同様にプリズム壁及び内部部材から構成されてもよいし、中実の部材によって構成されてもよい。
【００２２】
具体的に第２プリズム５０は、それぞれが第４の辺５０ａが内ガラス１０ｂに沿うように内ガラス１０ｂに面して配置されている。第２プリズム５０の第５の辺５０ｂと第６の辺５０ｃは、第４の辺５０ａに対して所定の角度を有して延びている。第５の辺５０ｂは、第６の辺５０ｃよりも鉛直上方側に位置する。このような第２プリズム５０は、第６の辺５０ｃが水平方向に隣接する第１プリズム３０の第３の辺３０ｃと対向しており、第５の辺５０ｂが集エネ部４０を挟んで上下方向に隣接する第１プリズム３０の第２の辺３０ｂと対向している。
【００２３】
また、本実施形態において２枚の板材１０、第１プリズム３０、及び第２プリズム５０は、互いに微細な隙間を有して配置されている。これらの間には、微細な隙間が維持されるように微小な柱や粒などの介在部材が介在されている。この結果、太陽エネルギー利用窓１は、外ガラス１０ａ、介在部材、第１プリズム３０、介在部材、第２プリズム５０、介在部材、及び内ガラス１０ｂの順の積層構造となり、たとえ内部空間が真空状態とされていたとしても、その圧力に耐えるように支えられることとなる。
【００２４】
さらに、本実施形態において集エネ部４０は、図２に示すように、第１プリズム３０の第２の辺３０ｂに対して隙間Ｃ１を有した状態で設けられている。隙間Ｃ１を維持するためには上記と同様に微細な介在部材が介在されていてもよいし、他の固定手段によって位置が維持されるようになっていてもよい。このように、集エネ部４０と第１プリズム３０の第２の辺３０ｂとの間に隙間Ｃ１を有することで両者間に真空層（又は気体層）が形成されて集エネ部４０の熱が第１プリズム３０に移行することを抑制することとなる。
【００２５】
加えて、集エネ部４０は、第２プリズム５０の第５の辺５０ｂに対しても隙間Ｃ２を有した状態で設けられている。このため、集エネ部４０は、第１プリズム３０の第２の辺３０ｂと第２プリズム５０の第５の辺５０ｂとの双方から離間して設けられることとなる。隙間Ｃ２を維持するためには上記と同様に微細な介在部材が介在されていてもよいし、他の固定手段によって位置が維持されるようになっていてもよい。また、集エネ部４０と第２プリズム５０の第５の辺５０ｂとの間に隙間Ｃ２を有することで両者間に真空層（又は気体層）が形成されて集エネ部４０の熱が第２プリズム５０に移行することも抑制される。
【００２６】
なお、集エネ部４０と第１プリズム３０の第２の辺３０ｂとの間に隙間Ｃ１を有することから、第１プリズム３０は、第１プリズム３０に進入した太陽光を第２の辺３０ｂまで導くだけでなく、第２の辺３０ｂにおいて全反射することなく出射されるようにする必要があり、このような条件を満たすように屈折率や三角の各内角が設定されている。
【００２７】
具体的には、第１プリズム３０は、３種の光路ＯＰ１〜ＯＰ３が実現されるように、屈折率や三角の各内角が設定されている。ここで、３種の光路ＯＰ１〜ＯＰ３のうち第１光路ＯＰ１は、外ガラス１０ａを通過して第１の辺３０ａから第１プリズム３０内に進入した太陽光が、直接第２の辺３０ｂに到達して第２の辺３０ｂから第１プリズム３０外に出るものである。第２光路ＯＰ２は、当該太陽光が第３の辺３０ｃで全反射して第２の辺３０ｂに到達して第２の辺３０ｂから当該第１プリズム３０外に出るものである。第３光路ＯＰ３は、第３の辺３０ｃ及び第１の辺３０ａの順に全反射した後に第２の辺３０ｂに到達して第２の辺３０ｂから第１プリズム３０外に出るものである。
【００２８】
このような第１〜第３光路ＯＰ１〜ＯＰ３が実現されるためには、第１光路ＯＰ１の第２の辺３０ｂへの入射角は臨界角未満である必要がある。また、第２光路ＯＰ２の第３の辺３０ｃへの入射角は臨界角以上であり、全反射後の第２の辺３０ｂへの入射角は臨界角未満である必要がある。さらに、第３光路ＯＰ３の第３の辺３０ｃへの入射角は臨界角以上であり、全反射後の第１の辺３０ａへの入射角は臨界角以上であり、更に全反射後の第２の辺３０ｂへの入射角は臨界角未満である必要がある。なお、第１プリズム３０が第２光路ＯＰ２及び第３光路ＯＰ３の条件を満たす場合、第１プリズム３０内において３回以上の全反射の条件は必ず満たされる。
【００２９】
ここで、以下の説明において、第１の辺３０ａと第３の辺３０ｃとがなす角を頂角ＡＡと称し、第２の辺３０ｂと第３の辺３０ｃとがなす角を第１底角ＢＡ１と称し、第１の辺３０ａと第２の辺３０ｂとがなす角を第２底角ＢＡ２と称する。
【００３０】
図３は、第１プリズム３０の頂角ＡＡを２５°とした場合において、第１底角ＢＡ１の角度及び第１プリズム３０の屈折率を変化させたときの下限仰角（１°単位に切り上げたもの）との関係を示す図表である。なお、下限仰角とは、上記第１〜第３光路ＯＰ１〜ＯＰ３が実現される仰角の下限をいう。ここでいう仰角とは、太陽を見上げたときの視線の方向と２枚の板材１０に直交する直交方向とのなす角をいい、太陽エネルギー利用窓１が立面状態で用いられる場合には太陽高度と同じである。このため、下限仰角以上の仰角で太陽光が第１の辺３０ａに入射した場合には、第１〜第３光路ＯＰ１〜ＯＰ３が実現されることとなる。
【００３１】
図３に示すように、第１プリズム３０の材質が屈折率１．１７の多孔質材等である場合、第１底角ＢＡ１が１０５°、１００°、９５°、９０°、８５°、８０°、及び７５°の全てにおいて、下限仰角は４１°となる。
【００３２】
また、第１プリズム３０の材質が屈折率１．２５の多孔質材等である場合、第１底角ＢＡ１が１０５°、１００°、９５°、９０°、８５°、８０°、及び７５°の全てにおいて、下限仰角は３７°となる。
【００３３】
第１プリズム３０の材質が屈折率１．３０の多孔質材等である場合、第１底角ＢＡ１が１０５°及び７５°において、下限仰角は４１°となり、第１底角ＢＡ１が１００°、９５°、９０°、８５°、及び８０°の全てにおいて、下限仰角は３４°となる。
【００３４】
第１プリズム３０の材質が屈折率１．３３のフッ素ゴムに水を封入したものである場合、第１底角ＢＡ１が１０５°、１００°、９５°、９０°、８５°、８０°、及び７５°の順に、下限仰角は４４°、３７°、３３°、３３°、３３°、３７°、及び４４°となる。
【００３５】
第１プリズム３０の材質が屈折率１．３７のフッ素樹脂に２０％食塩水を封入したものである場合、第１底角ＢＡ１が１０５°、１００°、９５°、９０°、８５°、８０°、及び７５°の順に、下限仰角は４９°、４１°、３３°、３１°、３３°、４１°、及び４９°となる。
【００３６】
第１プリズム３０の材質が屈折率１．４１のアクリルにシリコーンを封入したものである場合、第１底角ＢＡ１が１０５°、１００°、９５°、９０°、８５°、８０°、及び７５°の順に、下限仰角は５４°、４５°、３７°、３０°、３７°、４５°、及び５４°となる。
【００３７】
第１プリズム３０の材質が屈折率１．４８の硼珪酸ガラスである場合、第１底角ＢＡ１が１０５°、１００°、９５°、９０°、８５°、８０°、及び７５°の順に、下限仰角は６５°、５３°、４４°、３５°、４４°、５３°、及び６５°となる。
【００３８】
第１プリズム３０の材質が屈折率１．５２のソーダ石灰ガラスである場合、第１底角ＢＡ１が１０５°、１００°、９５°、９０°、８５°、８０°、及び７５°の順に、下限仰角は７３°、５８°、４８°、３８°、４８°、５８°、及び７３°となる。
【００３９】
第１プリズム３０の材質が屈折率１．５９のポリカーボネートである場合、第１底角ＢＡ１が１０５°、１００°、９５°、９０°、８５°、８０°、及び７５°の順に、下限仰角はＮＧ（ＮＧとは９０°以上となってしまい、製品上意味をなさない数値となってしまうことを意味する。以下同じ。）、７０°、５６°、４５°、５６°、７０°、及びＮＧとなる。
【００４０】
ここで、下限仰角は、小さい方がより広い角度範囲で太陽光を集エネ部４０に集めることができるため、エネルギー取得の上で好ましいといえる。一方、頂角ＡＡが小さくて集エネ部４０同士の上下間隔が広く、かつ水平に近い散乱光や外景は全反射されずに室内に透過されることが、窓として望ましい。従って、ある頂角ＡＡに対して最小下限仰角を持つこと、及び、下限仰角は設置地域や方角において、時間、季節も考慮して太陽が取りえる高度範囲を適切にカバーすることが望ましい。また、図３に示すように、屈折率が略１．４１であって、第１底角ＢＡ１が９０°であるときに、下限仰角は最小値（３０°）となる。よって、第１プリズム３０は、屈折率が略１．４１であって、第１底角ＢＡ１が９０°であることが好ましいといえる。しかしながら、第１プリズム３０の材質等の問題から、第１プリズム３０は、屈折率が略１．４１及び第１底角ＢＡ１が９０°でなくともよく、下限仰角の最小値＋１０°（４０°）までの下限仰角が実現されるように、屈折率と内角とが設定されていてもよい。
【００４１】
すなわち、図３に示す例においては、屈折率１．２５で第１底角ＢＡ１が７５°以上１０５°以下、屈折率が１．３０及び１．３３で第１底角ＢＡ１が８０°以上１００°以下、屈折率が１．３７及び１．４１で第１底角ＢＡ１が８５°以上９５°以下、屈折率が１．４８及び１．５２で第１底角ＢＡ１が９０°のときに、下限仰角を４０°以下にでき、好ましいといえる。
【００４２】
ここで、屈折率が略１．４１（厳密には√２）であるときに下限仰角が最小値となる理由は臨界角が４５°になる点にある。本実施形態において第１プリズム３０は、第１及び第３の辺３０ａ，３０ｃで全反射することと、第２の辺３０ｂにおいて全透過することが必要となるため、臨界角が４５°になると、０°〜４５°において全反射を実現でき、４５°〜９０°で全透過を実現できる。すなわち、全反射と全透過の角度範囲の均等化を図ることで、全反射や全透過の一方のみの傾向が極端に強くなってしまうことを防止し、下限仰角の最小化に寄与するようになっている。
【００４３】
なお、本実施形態において第１プリズム３０は、下限仰角の最小値＋１０°の下限仰角が実現されるように、屈折率と内角とが設定されるものに限らない。例えば上記した三種の光路ＯＰ１〜ＯＰ３を実現するためには頂角ＡＡが２５°であるときに屈折率が１．５９以上、第１底角ＢＡ１が１０５°以上且つ７５°以下とならないようにすればよい。すなわち、第１プリズム３０は設置地域や方角において時間、季節も考慮して太陽が取りえる高度範囲の仰角において、３種の光路ＯＰ１〜ＯＰ３が実現される屈折率及び角度設定となっていてもよいものである。なお、第１プリズム３０は、太陽が取りえる高度範囲の全てにおいて３種の光路ＯＰ１〜ＯＰ３が実現される屈折率及び角度設定となっている場合に限らず、太陽が取りえる高度範囲の一部（例えば設置地域の最高高度）のみで３種の光路ＯＰ１〜ＯＰ３が実現される屈折率及び角度設定となっていてもよいものである。
【００４４】
なお、図３では頂角ＡＡが２５°であるときの下限仰角を示したが、頂角ＡＡの角度が変化すると、下限仰角の値も変化する。
【００４５】
図４は、第１プリズム３０の頂角ＡＡを３０°とした場合において、第１底角ＢＡ１の角度及び第１プリズム３０の屈折率を変化させたときの下限仰角との関係を示す図表である。
【００４６】
図４に示すように、第１プリズム３０の材質が屈折率１．１７の多孔質材等である場合、第１底角ＢＡ１が１０５°、１００°、９５°、９０°、８５°、８０°、及び７５°の全てにおいて、下限仰角は３５°となる。
【００４７】
また、第１プリズム３０の材質が屈折率１．２５の多孔質材等である場合、第１底角ＢＡ１が１０５°、１００°、９５°、９０°、８５°、８０°、及び７５°の全てにおいて、下限仰角は３０°となる。
【００４８】
第１プリズム３０の材質が屈折率１．３０の多孔質材等である場合、第１底角ＢＡ１が１０５°及び７５°において、下限仰角は３３°となり、第１底角ＢＡ１が１００°、９５°、９０°、８５°、及び８０°の全てにおいて、下限仰角は２７°となる。
【００４９】
第１プリズム３０の材質が屈折率１．３３のフッ素ゴムに水を封入したものである場合、第１底角ＢＡ１が１０５°、１００°、９５°、９０°、８５°、８０°、及び７５°の順に、下限仰角は３７°、２９°、２６°、２６°、２６°、２９°、及び３７°となる。
【００５０】
第１プリズム３０の材質が屈折率１．３７のフッ素樹脂に２０％食塩水を封入したものである場合、第１底角ＢＡ１が１０５°、１００°、９５°、９０°、８５°、８０°、及び７５°の順に、下限仰角は４１°、３３°、２６°、２４°、２６°、３３°、及び４１°となる。
【００５１】
第１プリズム３０の材質が屈折率１．４１のアクリルにシリコーンを封入したものである場合、第１底角ＢＡ１が１０５°、１００°、９５°、９０°、８５°、８０°、及び７５°の順に、下限仰角は４５°、３７°、２９°、２２°、２９°、３７°、及び４５°となる。
【００５２】
第１プリズム３０の材質が屈折率１．４８の硼珪酸ガラスである場合、第１底角ＢＡ１が１０５°、１００°、９５°、９０°、８５°、８０°、及び７５°の順に、下限仰角は５３°、４４°、３５°、２７°、３５°、４４°、及び５３°となる。
【００５３】
第１プリズム３０の材質が屈折率１．５２のソーダ石灰ガラスである場合、第１底角ＢＡ１が１０５°、１００°、９５°、９０°、８５°、８０°、及び７５°の順に、下限仰角は５８°、４８°、３８°、３０°、３８°、４８°、及び５８°となる。
【００５４】
第１プリズム３０の材質が屈折率１．５９のポリカーボネートである場合、第１底角ＢＡ１が１０５°、１００°、９５°、９０°、８５°、８０°、及び７５°の順に、下限仰角は７０°、５６°、４５°、３５°、４５°、５６°、及び７０°となる。
【００５５】
このように、頂角ＡＡの角度が３０°である場合においても、屈折率が略１．４１で第１底角ＢＡ１が９０°であるときに、下限仰角は最小値（２２°）となる。このため、頂角ＡＡの角度が３０°である場合には、下限仰角が３２°以下となるように、第１プリズム３０の屈折率及び内角が設定されることが好ましい。
【００５６】
図５は、第１プリズム３０の頂角ＡＡを３５°とした場合において、第１底角ＢＡ１の角度及び第１プリズム３０の屈折率を変化させたときの下限仰角との関係を示す図表である。
【００５７】
図５に示すように、第１プリズム３０の材質が屈折率１．１７の多孔質材等である場合、第１底角ＢＡ１が１０５°、１００°、９５°、９０°、８５°、８０°、及び７５°の全てにおいて、下限仰角は２９°となる。
【００５８】
また、第１プリズム３０の材質が屈折率１．２５の多孔質材等である場合、第１底角ＢＡ１が１０５°、１００°、９５°、９０°、８５°、８０°、及び７５°の全てにおいて、下限仰角は２３°となる。
【００５９】
第１プリズム３０の材質が屈折率１．３０の多孔質材等である場合、第１底角ＢＡ１が１０５°及び７５°において、下限仰角は２７°となり、第１底角ＢＡ１が１００°、９５°、９０°、８５°、及び８０°の全てにおいて、下限仰角は２１°となる。
【００６０】
第１プリズム３０の材質が屈折率１．３３のフッ素ゴムに水を封入したものである場合、第１底角ＢＡ１が１０５°、１００°、９５°、９０°、８５°、８０°、及び７５°の順に、下限仰角は２９°、２２°、１９°、１９°、１９°、２２°、及び２９°となる。
【００６１】
第１プリズム３０の材質が屈折率１．３７のフッ素樹脂に２０％食塩水を封入したものである場合、第１底角ＢＡ１が１０５°、１００°、９５°、９０°、８５°、８０°、及び７５°の順に、下限仰角は３３°、２６°、１９°、１７°、１９°、２６°、及び３３°となる。
【００６２】
第１プリズム３０の材質が屈折率１．４１のアクリルにシリコーンを封入したものである場合、第１底角ＢＡ１が１０５°、１００°、９５°、９０°、８５°、８０°、及び７５°の順に、下限仰角は３７°、２９°、２２°、１４°、２２°、２９°、及び３７°となる。
【００６３】
第１プリズム３０の材質が屈折率１．４８の硼珪酸ガラスである場合、第１底角ＢＡ１が１０５°、１００°、９５°、９０°、８５°、８０°、及び７５°の順に、下限仰角は４４°、３５°、２７°、１９°、２７°、３５°、及び４４°となる。
【００６４】
第１プリズム３０の材質が屈折率１．５２のソーダ石灰ガラスである場合、第１底角ＢＡ１が１０５°、１００°、９５°、９０°、８５°、８０°、及び７５°の順に、下限仰角は４８°、３８°、３０°、２２°、３０°、３８°、及び４８°となる。
【００６５】
第１プリズム３０の材質が屈折率１．５９のポリカーボネートである場合、第１底角ＢＡ１が１０５°、１００°、９５°、９０°、８５°、８０°、及び７５°の順に、下限仰角は５６°、４５°、３５°、２７°、３５°、４５°、及び５６°となる。
【００６６】
このように、頂角ＡＡの角度が３５°である場合においても、屈折率が略１．４１で第１底角ＢＡ１が９０°であるときに、下限仰角は最小値（１４°）となる。このため、頂角ＡＡの角度が３０°である場合には、下限仰角が２４°以下となるように、第１プリズム３０の屈折率及び内角が設定されることが好ましい。
【００６７】
図６は、第１プリズム３０の屈折率を略１．４１とし第１底角ＢＡ１を９０°とした場合において、頂角ＡＡの角度を変化させたときの下限仰角との関係を示す図表である。
【００６８】
図６に示すように、第１プリズム３０の屈折率を略１．４１とし第１底角ＢＡ１を９０°とした場合において、頂角ＡＡが１５°であるときの下限仰角は４６°であり、頂角ＡＡが２０°であるときの下限仰角は３７°である。また、頂角ＡＡが２５°、３０°、及び３５°であるときの下限仰角は、図３〜図５を参照して説明したように、順に３０°、２２°及び１４°である。また、頂角ＡＡが４０°、及び４５°であるときの下限仰角は、８°及び１°である。
【００６９】
ここで、下限仰角は小さいほど第１〜第３光路ＯＰ１〜ＯＰ３を実現する角度範囲が広くなってエネルギー取得の上で好ましいといえる。しかし、下限仰角を小さくするために頂角ＡＡを４５°に近づけていくと、第１の辺３０ａを底辺としたときの高さが高くなり、太陽エネルギー利用窓１の厚みが増加する傾向にある。また、頂角ＡＡが小さくて集エネ部４０同士の上下間隔が広く、かつ水平に近い散乱光や外景は全反射されずに室内に透過されることが、窓として望ましい。このため、頂角ＡＡは、太陽エネルギー利用窓１が用いられる地域に応じて適切なものとすることが好ましい。
【００７０】
例えば日本において冬至のように太陽の南中高度が最も低くなるときの仰角（立面に対する入射角）は３２°である。よって、日本においては太陽エネルギー利用窓１を南面に利用する場合、頂角ＡＡを２０°や２５°に設定すれば、太陽エネルギーの利用効率を高めることができると共に、太陽エネルギー利用窓１の薄型化に寄与し、間接光による採光と眺望性とを両立することができる。また、東面や西面などの日の出及び日の入り時における太陽エネルギーの利用効率を高めるのであれば、頂角ＡＡをより大きくすればよいこととなる。よって、南面用（南半球においては北面用）の太陽エネルギー利用窓１は東面用及び西面用の太陽エネルギー利用窓１よりも頂角ＡＡが小さいことが好ましい。また、日本又は同程度の緯度地域においては南面用、東面用及び西面用を考慮し、頂角ＡＡは、２０°以上３５°以下とすることが好ましい。
【００７１】
図７は、図２に示した第１プリズム３０のプリズム壁３１及び内部部材３２である液体の屈折率と下限仰角との関係を示す図表である。なお、図７に示す例においては、第１プリズム３０の頂角ＡＡを３０°とし、第１底角ＢＡ１を９０°とした。
【００７２】
第１プリズム３０のプリズム壁３１及び内部部材３２の屈折率が異なる場合、プリズム壁３１の屈折率は第１プリズム３０の全体の屈折率に影響を与えないものとなる。以下、詳細に説明する。
【００７３】
まず、内部部材３２の屈折率が１．３３である場合、プリズム壁３１の屈折率が１．３３、１．３７、１．４１、１．４８、１．５２、及び１．５９の全てにおいて、下限仰角は２６°となった。また、内部部材３２の屈折率が１．３７である場合、プリズム壁３１の屈折率が１．３３、１．３７、１．４１、１．４８、１．５２、及び１．５９の全てにおいて、下限仰角は２４°となった。同様にプリズム壁３１の屈折率によらず、内部部材３２の屈折率が１．４１である場合に下限仰角は２２°となり、内部部材３２の屈折率が１．４８である場合に下限仰角は２７°となり、内部部材３２の屈折率が１．５２である場合に下限仰角は３０°となり、内部部材３２の屈折率が１．５９である場合に下限仰角は３５°となった。
【００７４】
以上より、第１プリズム３０の屈折率は内部部材３２の屈折率によって支配され、プリズム壁３１の屈折率に影響を受けないことがわかった。
【００７５】
次に、本実施形態に係る太陽エネルギー利用窓１の作用（太陽エネルギーの利用効率）を図２を参照して説明する。
【００７６】
まず、本実施形態に係る太陽エネルギー利用窓１は、第１プリズム３０の屈折率及び内角の設定によって、三種の光路ＯＰ１〜ＯＰ３が実現されるようになっている。このため、外ガラス１０ａを通過して第１の辺３０ａから第１プリズム３０内に進入した太陽光は、直接第２の辺３０ｂに到達して第２の辺３０ｂから第１プリズム３０外に出射される第１光路ＯＰ１を形成する。さらに、太陽光は、第３の辺３０ｃで全反射して第２の辺３０ｂに到達して第２の辺３０ｂから当該第１プリズム３０外に出射される第２光路ＯＰ２も形成する。加えて、太陽光は、第３の辺３０ｃ及び第１の辺３０ａの順に全反射した後に第２の辺３０ｂに到達して第２の辺３０ｂから第１プリズム３０外に出射する第３光路ＯＰ３も形成する。さらに、上記の３種の光路ＯＰ１〜ＯＰ３が実現される環境下においては、太陽光は３回以上の全反射を経て、第２の辺３０ｂから出射される光路を形成することもある。
【００７７】
第２の辺３０ｂから出射された太陽光は、集エネ部４０に入射してエネルギー利用される。ここで、集エネ部４０は第１プリズム３０に接しておらず隙間Ｃ１を有して配置されている。このため、集エネ部４０の熱は第１プリズム３０に移行し難くなり、太陽熱をより効率的に利用することができる。
【００７８】
このようにして、本実施形態に係る太陽エネルギー利用窓１によれば、集エネ部４０は第２の辺３０ｂに対して所定の隙間Ｃ１を挟んで設置される。このため、所定の隙間Ｃ１の存在によって集エネ部４０における太陽熱が第１プリズム３０へ移行し難くすることができる。また、第１プリズム３０は、３種の光路ＯＰ１〜ＯＰ３が存在するように屈折率と三角の各内角とが設定されているため、第１の辺３０ａから第１プリズム３０内に進入した太陽光は直接又は第３の辺３０ｃや第１の辺３０ａの全反射を経て第２の辺３０ｂから第１プリズム３０外に出ることとなる。すなわち、第１プリズム３０の第１の辺３０ａに入射した太陽光を第２の辺３０ｂから出射させることで、所定の隙間Ｃ１を有して配置される集エネ部４０にも太陽光を集めることができる。従って、熱移行を抑えつつも太陽光を集エネ部４０に集めて、太陽エネルギーをより効率よく利用することができる。
【００７９】
また、第１プリズム３０は、当該第１プリズム３０の外壁を構成する透明性のプリズム壁３１と、プリズム壁３１の内部に封入される透明性の内部部材３２とを有することから、第１プリズム３０の屈折率が内部部材３２によって支配的になり、プリズム壁３１に影響を受け難く、所望の屈折率の第１プリズム３０を作成し易くすることができる。
【００８０】
また、第１プリズム３０は、第１の辺３０ａから進入する太陽光について３種の光路ＯＰ１〜ＯＰ３が実現されるときの太陽光の下限仰角が、屈折率が略１．４１であり、第２の辺３０ｂと第３の辺３０ｃとがなす角度が９０°であるときに最小値となるものである。ここで、本件発明者は、第１プリズム３０について略１．４１であり上記角度が９０°となるときに下限仰角が最小値となることを見出した。このため、この最小値よりも＋１０°以下の値となるように、屈折率及び上記角度が設定されることで、下限仰角を最小値に近づけて、より広い角度範囲（太陽仰角）で太陽光を集エネ部４０に集めることができる太陽エネルギー利用窓１を提供することができる。
【００８１】
また、第１プリズム３０と同一形状であり、第１プリズム３０と点対称となる向きに配置された第２プリズム５０をさらに備えるため、第２プリズム５０によって像回復効果をもたらすことができる。さらに、集エネ部４０は、第１プリズム３０の第２の辺３０ｂと、第２プリズム５０の第５の辺５０ｂとの間において、双方から離間して設けられている。このため、集エネ部４０の熱が第２プリズム５０にも移行し難くなり、太陽エネルギーをより一層効率よく利用することができる。
【００８２】
次に、本発明の第２実施形態を説明する。第２実施形態に係る太陽エネルギー利用窓は第１実施形態のものと同様であるが、一部構成が異なっている。なお、以下の説明において第１実施形態と同一又は同様の要素には同じ符号を付して説明を省略する。
【００８３】
図８は、第２実施形態に係る太陽エネルギー利用窓を示す断面図である。図８に示すように、第２実施形態に係る太陽エネルギー利用窓２において集エネ部４０は、第１実施形態に係る第２プリズム５０と同様の構成となっている。すなわち、集エネ部４０は、概略透明性（後述の選択吸収部４１を除き透明性）であり、断面視状態で第１プリズム３０と同一形状であり、第１プリズム３０と点対称となる向きに配置されている。ただし、集エネ部４０の第５の辺５０ｂに相当する箇所は、太陽光波長領域（０．３〜２．５μｍ）では吸収率が大きく、赤外線波長領域（３．０〜２０μｍ）では放射率が小さい選択吸収部４１となっている。なお、選択吸収部４１に代えて太陽電池が設けられていてもよい。
【００８４】
このような集エネ部４０は、第１プリズム３０と対になって配置されている。すなわち、集エネ部４０は、第５の辺５０ｂに相当する箇所が第１プリズム３０の第２の辺３０ｂと対向配置されている。また、集エネ部４０は、選択吸収部４１を除く部分が、第１実施形態に示した第２プリズム５０と同様に、光を屈折等させる透明性のプリズムとしても機能することから、いわゆる像回復効果を発揮することとなる。
【００８５】
第２実施形態において集エネ部４０は、第１実施形態にて説明した第１プリズム３０と同様に様々な形態とすることができ、例えば第１プリズム３０と同様にプリズム壁と液体（熱媒）からなる内部部材により構成することもできる。特に、この場合には、例えば吸収式冷凍機の再生器と、集エネ部４０とで熱媒を循環するためのポンプと配管とを備えることにより、加熱された熱媒を他の機器に利用させることができる。
【００８６】
また、集エネ部４０は、吸湿性の中実の部材により構成されてもよい。この場合、第１プリズム３０によって加熱された集エネ部４０から湿気を放出させることができ、室内に加湿効果をもたらすことができる。なお、この構成の場合、２枚の板材１０の表裏を反転可能に構成しておき、夜間などに表裏反転させて集エネ部４０に湿気を蓄積可能とすることが好ましい。また、内ガラス１０ｂについては水蒸気透過性のものにより構成することとなる。
【００８７】
さらに、第１プリズム３０をプリズム壁３１と吸湿性の液体からなる内部部材３２とによって構成すると共に、集エネ部４０についても同様にプリズム壁と吸湿性の液体からなる内部部材とによって構成してもよい。この構成では、第１プリズム３０と集エネ部４０とで吸湿性の液体を循環可能に配管及びポンプを取り付けることで、例えば集エネ部４０から湿気を放出し、第１プリズム３０で湿気を吸収する動作を連続的に行うこともできる。この場合、例えば集エネ部４０のプリズム壁、第１プリズム３０のプリズム壁３１、外ガラス１０ａ及び内ガラス１０ｂについては水蒸気透過性のものにより構成し、第１プリズム３０と集エネ部４０との間に水蒸気を透過しない膜を設けるとよい。また、第１プリズム３０のプリズム壁３１と外ガラス１０ａとを、水蒸気を透過しない素材によって構成してもよい。この場合には、例えば第１プリズム３０内に外気を送り込み、第１プリズム３０内において水分を取られて乾いた気泡を再び外気に排出する配管やポンプを備えることとなる。さらに、集エネ部４０のプリズム壁と内ガラス１０ｂとを、水蒸気を透過しない素材によって構成してもよい。この場合には、例えば集エネ部４０内に室内空気を送り込み、集エネ部４０内において水分を獲得して湿潤となった気泡を再び室内に戻す配管やポンプを備えることが好ましい。
【００８８】
このようにして、第２実施形態に係る太陽エネルギー利用窓２によれば、第１実施形態と同様に、太陽エネルギーをより効率よく利用することができる。また、第１プリズム３０を透明性のプリズム壁３１と透明性の内部部材３２とで構成した場合には、所望の屈折率の第１プリズム３０を作成し易くすることができる。さらに、最小値よりも＋１０°以下の値となるように、屈折率及び上記角度が設定されることで、下限仰角を最小値に近づけて、より広い角度範囲（太陽仰角）で太陽光を集エネ部４０に集めることができる太陽エネルギー利用窓２を提供することができる。
【００８９】
さらに、第２実施形態によれば、集エネ部４０は、断面視状態で、第１プリズム３０と同一形状であり、第１プリズム３０と点対称となる向きに配置されており、一部分（選択吸収部４１）が非透明性で残部が透明性であるため、透明性の部分を利用して集エネ部４０に像回復プリズムの機能を持たせることができる。
【００９０】
特に、集エネ部４０を、例えば第１プリズム３０と同様にプリズム壁と液体（熱媒）の内部部材により構成した場合には、吸収式冷凍機の再生器等に熱媒を移送することもできる。また、集エネ部４０を吸湿性の部材により構成することで、室内に加湿効果をもたらすことができる。さらに、第１プリズム３０をプリズム壁３１と吸湿性の液体からなる内部部材３２とによって構成すると共に、集エネ部４０についても同じ構成とし、第１プリズム３０と集エネ部４０とで吸湿性の液体を循環させることで、例えば集エネ部４０から湿気を放出し、第１プリズム３０で湿気を吸収する動作を連続的に行うことができる。
【００９１】
次に、本発明の第３実施形態を説明する。第３実施形態に係る太陽エネルギー利用窓は第１実施形態のものと同様であるが、一部構成が異なっている。なお、以下の説明において第１実施形態と同一又は同様の要素には同じ符号を付して説明を省略する。
【００９２】
図９は、第３実施形態に係る太陽エネルギー利用窓を示す一部拡大断面図である。図９に示すように、第３実施形態に係る太陽エネルギー利用窓３において複数の集エネ部４０それぞれは、第１プリズム３０に対して隙間Ｃ１を有し、第２プリズム５０に対して隙間Ｃ２を有して配置されている。この状態を基本とし、第３実施形態に係る太陽エネルギー利用窓３は、第２の辺３０ｂと第５の辺５０ｂとの間で複数の集エネ部４０を移動させる移動機構６０を備えている。
【００９３】
移動機構６０は、第２の辺３０ｂと第５の辺５０ｂとの間で集エネ部４０を移動させることができれば、特にその構成を問うものではないが、例えば集エネ部４０を移動させる動力源となるモータと、集エネ部４０の移動レールとから構成される。
【００９４】
また、第３実施形態において移動機構６０は、第２の辺３０ｂと第５の辺５０ｂとにそれぞれに接触させる位置まで集エネ部４０を移動可能となっている。具体的に移動機構６０は、集エネ部４０を符号４０−１で示す位置まで移動させて第１プリズム３０の第２の辺３０ｂに接触させることができる。同様に、移動機構６０は、集エネ部４０を符号４０−２で示す位置まで移動させて第２プリズム５０の第５の辺５０ｂに接触させることができる。
【００９５】
これにより、第３実施形態に係る太陽エネルギー利用窓３は、第１プリズム３０及び第２プリズム５０のうちいずれか一方を加熱することが可能となっている。
【００９６】
このため、第３実施形態に係る太陽エネルギー利用窓３では以下のように動作可能となっている。例えば、第２プリズム５０が吸湿性の部材や液体を有している場合において、移動機構６０により集エネ部４０を第２プリズム５０の第５の辺５０ｂに接触させたときには、吸湿性の部材等を加熱して湿気を放出させることができる。一方、第１プリズム３０及び第２プリズム５０が吸湿性の液体を有しており、両者間で循環可能となっている場合において、集エネ部４０を第１プリズム３０の第２の辺３０ｂに接触させたときには、第１プリズム３０において湿気を放出し、湿気が放出された吸湿性の液体を第２プリズム５０に供給し、第２プリズム５０において湿気を吸収させることもできる。
【００９７】
このようにして、第３実施形態に係る太陽エネルギー利用窓３によれば、第１実施形態と同様に、太陽エネルギーをより（一層）効率よく利用することができる。また、第１プリズム３０を透明性のプリズム壁３１と透明性の内部部材３２とで構成した場合には、所望の屈折率の第１プリズム３０を作成し易くすることができる。さらに、最小値よりも＋１０°以下の値となるように、屈折率及び上記角度が設定されることで、下限仰角を最小値に近づけて、より広い角度範囲（太陽仰角）で太陽光を集エネ部４０に集めることができる太陽エネルギー利用窓３を提供することができる。
【００９８】
さらに、第３実施形態によれば、集エネ部４０を第２の辺３０ｂと第５の辺５０ｂとにそれぞれ切離可能とする移動機構６０をさらに備えるため、一方のプリズム３０，５０を加熱したい場合には、そのプリズム３０，５０に集エネ部４０を接触させることも可能となり、より一層機能の多様化を図ることができる。
【００９９】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。さらに、可能な範囲で公知又は周知の技術を組み合わせてもよい。
【０１００】
例えば、本実施形態においては太陽エネルギー利用窓１〜３を立面に用いる例を説明したが、太陽エネルギー利用窓１は立面に限らず傾斜面（例えば屋根面）に用いられてもよい。図８は、太陽エネルギー利用窓１〜３を傾斜面に用いたときの例を示す断面図である。図８に示すように、太陽エネルギー利用窓１〜３は、例えば日本においては北側に傾斜する傾斜面に用いられてもよい。このような場合であっても、立面時における下限仰角との関係から、３種の光路ＯＰ１〜ＯＰ３を実現することができるからである。
【０１０１】
また、上記実施形態において太陽エネルギー利用窓１〜３は、外ガラス１０ａと内ガラス１０ｂとの２層構造となっているが、３層目以上の板材を備えていてもよい。
【０１０２】
さらに、第３実施形態に係る太陽エネルギー利用窓３においては、移動機構６０により複数の集エネ部４０が一体的に移動する（同じ移動をする）ことを想定したが、これに限らず、一部の集エネ部４０のみが他の集エネ部４０と異なる方向に移動させられてもよい。すなわち、それぞれの集エネ部４０が異なる位置に移動させられていてもよい。
【符号の説明】
【０１０３】
１〜３  ：太陽エネルギー利用窓（太陽エネルギー利用器）
１０    ：２枚の板材
１０ａ  ：外ガラス（透明性の板材）
１０ｂ  ：内ガラス（板材）
２０    ：真空封止部材
３０    ：第１プリズム（三角柱プリズム）
３０ａ  ：第１の辺
３０ｂ  ：第２の辺
３０ｃ  ：第３の辺
３１    ：プリズム壁
３２    ：内部部材
４０    ：集エネ部
４１    ：選択吸収部
５０    ：第２プリズム（第２三角柱プリズム）
５０ａ  ：第４の辺
５０ｂ  ：第５の辺
５０ｃ  ：第６の辺
６０    ：移動機構
ＡＡ    ：頂角
ＢＡ１  ：第１底角
ＢＡ２  ：第２底角
Ｃ１，Ｃ２    ：隙間
ＯＰ１〜ＯＰ３  ：３種の光路
ＳＬ    ：散乱光
【図１】
2019113284.tif 000003
【図２】
2019113284.tif 000004
【図３】
2019113284.tif 000005
【図４】
2019113284.tif 000006
【図５】
2019113284.tif 000007
【図６】
2019113284.tif 000008
【図７】
2019113284.tif 000009
【図８】
2019113284.tif 000010
【図９】
2019113284.tif 000011
【図１０】
2019113284.tif 000012